(57)【特許請求の範囲】
【請求項１】
テープを巻回した一対のリールを収納する筐体と、
前記一対のリール間に架橋された前記テープを覆う蓋と、
前記筐体に対し前記蓋を回動自在に軸支する一対の支点ピンと、
前記筐体に備える軸受部に回動自在に支持される支持ピン、及び、前記蓋の前記支点ピン回りの回動を前記支持ピン回りの回動でロックするロック爪部を有する係止部を具備する一対の蓋ロック部材とを備え、
前記一対の蓋ロック部材の一方に、前記支持ピンの軸芯に関して、前記係止部の反対位置に前記蓋ロック部材の重心位置を配置したバランスウェイト部を備えることを特徴とするテープカセット。
【請求項２】
前記バランスウェイト部を具備する蓋ロック部材の前記係止部に、前記支持ピンの軸芯方向に深さを有する穴部を設けたことを特徴とする請求項１記載のテープカセット。
【請求項３】
前記バランスウェイト部に、前記バランスウェイト部を具備する蓋ロック部材の前記係止部を形成する材料の比重より比重の大きい材料含むことを特徴とする請求項１に記載のテープカセット。
【請求項４】
前記バランスウェイト部を具備する蓋ロック部材を、当該バランスウェイト部と、前記係止部とを別の材料で構成し、前記バランスウェイト部に供する材料の比重が前記係止部に供する材料の比重よりも大きいことを特徴とする請求項１に記載のテープカセット。
【請求項５】
前記バランスウェイト部を具備する蓋ロック部材の前記係止部に前記支持ピンの軸芯方向に深さを有する穴部を設け、且つ前記バランスウェイト部に前記係止部を形成する材料の比重より比重の大きい材料を含むことを特徴とする請求項１記載のテープカセット。
【請求項６】
前記バランスウェイト部を具備する蓋ロック部材の前記係止部に前記支持ピンの軸芯方向に深さを有する穴部を設け、且つ前記バランスウェイト部と前記係止部とを別の材料で構成し、前記バランスウェイト部に供する材料の比重が前記係止部に供する材料の比重よりも大きいことを特徴とする請求項１記載のテープカセット。
【発明の詳細な説明】
【０００１】
【発明の属する技術分野】
本発明は、ビデオテープレコーダーの如き磁気記録再生装置やその他各種の情報処理装置などに使用するテープカセットの蓋ロック機構に関するものであり、特にカセット本体の両側壁に一対の蓋ロック機構を設け、蓋の両側をそれぞれロックする構成としたテープカセットに関する。
【０００２】
【従来の技術】
近年、磁気記録の高密度化にともない、ビデオテープレコーダー（以下ＶＴＲという）及びテープカセットがコンパクトになり、その結果ＶＴＲは屋外で使用される機会が多くなってきた。
【０００３】
その様な中でテープカセットも屋外使用を考慮し、塵埃の侵入を防ぐ為、テープの前面と上面及び後面をそれぞれ覆う３枚方式の蓋構造にすると共に、容易に蓋が開くのを防ぐ為カセット本体の両側壁に蓋ロック機構を一対設ける構成にしたものなど様々な工夫がなされ、例えばＤＶフォーマットとして実用化されている。
【０００４】
従来のテープカセット１０について、図面を参照しながら説明する。図１０において、カセット本体は合成樹脂で成形された上ハーフ２と下ハーフ３を上下方向から組合せにより一体の筐体に形成される。又カセット本体にはテープ４を巻回した一対のリール５が収納されている。カセット本体の前面にはＶＴＲ側のテープ引き出し部材が挿入される為の開口部６が設けられている。開口部６の下ハーフ３側の両側には下ハーフ３と一体に形成された一対のテープガイド７が設けられており、テープ４はテープガイド７に案内されて開口部６に沿って架張される。テープ４は、閉蓋時は、スライド式の上蓋８と内部にある後蓋９と跳ね上げ式の前蓋１１によって覆われており、更に前蓋１１は閉蓋位置でテープカセット１０の右側１０ａに設けられた第一の蓋ロック部材１２と左側１０ｂに設けられた第二の蓋ロック部材１３によりロックされている。
【０００５】
図１１において、前蓋１１は開口部６に架張されたテープ４の前面を覆う前面部１１ａと上ハーフ２及び下ハーフ３の前方側面を覆う側板１１ｂとで構成されており、略コの字型形状をしている。前蓋１１の側板１１ｂには一対の支点ピン１４が設けられ、支点ピン１４は上ハーフ２の前方両側壁部に設けられた一対の切欠部１５に挿入され、前蓋１１の支点ピン１４の一方側にはコイルバネ１６が装着されており前蓋１１を常時閉蓋方向に回動付勢している。又、前蓋１１の前面部１１ａの両端上部には一対のピン孔１７が形成されている。
【０００６】
上蓋８は、開口部６に架張されたテープ４の上面を覆う上面部８ａと上ハーフ２の側面を覆う側板８ｂから構成されている。上蓋８の側板８ｂの前方内側には一対の支持ピン１８が設けられ、支持ピン１８は前蓋１１のピン孔１７に挿入されて回動自在とされている。又側板８ｂの後方内側には一対のガイドピン１９が設けられている。さらに、上面部８ａの内面側には開口部６の幅寸法とほぼ同等の間隔距離を有した一対の軸受け部２０が設けられている。上ハーフ２の側壁前方には上蓋８の側板８ｂの厚みとほぼ同等寸法に切欠いた一対の切欠部２１が設けられている。切欠部２１は曲線部と直線部とから成り、且つ一方端を開放した一対のガイド溝２２が形成され、ガイド溝２２には上蓋８の側板８ｂのガイドピン１９が摺動自在に取り付けられている。
【０００７】
後蓋９は略コの字型形状をしており、開口部６に架張されたテープ４の裏面を覆っている。後蓋９の上部側面には一対の支持ピン２３が設けられており、支持ピン２３は上蓋８の軸受け部２０に回動自在に取り付けられている。又，後蓋９の下部側面には一対のガイドピン２４を有した突出部２５が設けられている。
【０００８】
下ハーフ３の右側壁３ａにはスリット２６が設けられており、スリット２６内の壁上部には軸受け部２７が形成されている。軸受け部２７には第一の蓋ロツク部材１２が取り付けられており、第一の蓋ロック部材１２は板バネ３２でロック方向に付勢されている。下ハーフ３の左側壁３ｂにはスリット２９が設けられており、スリット２９内の壁上部には軸受け部３０が形成されている。軸受け部３０には第二の蓋ロツク部材１３が取り付けられており、板バネ３１でロック方向に付勢されている。
【０００９】
図１２は第一及び第二の蓋ロック部材の拡大斜視図である。１２は下ハーフ３の右側壁３ａ側に取り付けられた第一の蓋ロック部材であり、軸受け部２７に回動自在に支持される支持ピン部３３と、前蓋１１をロックするロック爪部３４ａおよびテープカセット１０を装置（図示せず）に装着した際に装置に設けられた後述する蓋ロック解除部材が当たる当接部３４ｂとを有する係止部３４から構成されており、支持ピン３３の軸芯に対する重心位置が係止部３４側にある。１３は下ハーフ３の左側壁３ｂ側に取り付けられた第二の蓋ロック部材であり、軸受け部３０に回動自在に支持される支持ピン部３５と、前蓋１１をロックするロック爪部３６ａおよびカセット本体１０を装置（図示せず）に装着した際に装置に設けられた後述する蓋ロック解除部材が当たる当接部３６ｂとを有する係止部３６から構成されており、第一の蓋ロック部材１２と同様、支持ピン３５の軸芯に対する重心位置が係止部３６側にある。図から明らかな様に第一の蓋ロック部材１２と第二の蓋ロック部材１３はほぼ同一の形状をしており、合成樹脂にて一体成形されている。
【００１０】
図１３は閉蓋状態の左側面図である。閉時は、第二の蓋ロック部材１３の爪部３６ａと前蓋１１の側板１１ｂの内側に設けられた突起３７とが板バネ３１の一端により蓋ロック部材１３の後方部を押圧することにより蓋ロック部材１３を前方向に付勢している。その結果前蓋１１の突起３７と蓋ロック部材１３のロック爪３６ａとが常時係合し、前蓋１１を閉蓋状態でロックする構成となっている。尚、第一の蓋ロック部材１２も第二の蓋ロック部材１３と全く同様の構成となっている。
【００１１】
以上の様に構成されたテープカセット１０について、左側の動作について説明する。尚、右側は対称の動きを行なうだけの為説明は省略する。テープカセット１０をＶＴＲ（図示せず）に挿入すると図１４に示す様にＶＴＲ側に配置されたカセットホルダー（図示せず）の蓋ロック解除部材３８が前蓋１１の前面部１１ａに設けられた切欠部３９を通って入り、蓋ロック部材１３の当接部３６ｂに当接する。次に図１５に示す様に更に蓋ロック解除部材３８が入り込むことにより蓋ロック部材１３は板バネ３１に抗してＡ方向に移動し、蓋ロック部材１３のロック爪３６ａと前蓋１１の側板１１ｂの内側に設けられた突起３７との係合が外れ、前蓋１１のロックが解除される。次に、図１６に示す様にその後テープカセット１０をＢ方向に移動させるとＶＴＲ側に配置された開蓋ピン４０によって前蓋１１の側板１１ｂが突上げられる。この為，前蓋１１はコイルバネ１６に抗して上方に回動する。この時、前蓋１１と連結された上蓋８は上ハーフ２に設けられたガイド溝２２に案内され、且つ上蓋８と連結された後蓋９は下ハーフ３に設けられたガイド溝２８に案内され開蓋される。尚、閉蓋動作は上述した動作と全く逆に成される。
【００１２】
【発明が解決しようとする課題】
しかしながらこの様な蓋ロック機構ではテープカセット１０を誤って床などに落下させた場合、具体的にはテープカセット１０を背面側から落下させた時ロックが解除されるという欠点があった。これを図で持って説明する。図１７はテープカセット１０を誤って落下した際のテープカセット１０の背面部４１が床４２にぶつかる直前の状態を示し、図１８はテープカセット１０の背面部４１が床４２にぶつかった直後の状態を示している。詳細には図１８（ａ）は左側第二の蓋ロック部材１３の動きを、図１８（ｂ）は右側第一の蓋ロック部材１２の動きを示している。図１８（ａ）に示す様に、テープカセット１０の背面部４１が床４２にぶつかった瞬間に第二の蓋ロック部材１３は支点ピン３５の回動支点に対し重心が蓋ロック部材１３の係止側３６にある為、落下衝撃により支点ピン３５を中心に矢印Ｃ方向に回転モーメントが働き、板バネ３１に抗してロック解除方向に回動し、結果前蓋１１の突起３７と蓋ロック部材１３のロツク爪３６ａとの係合が外れ、前蓋１１のロックが解除される。一方、図１８（ｂ）示す様に、第一の蓋ロック部材１２は支点ピン３３の回動支点に対し重心が蓋ロック部材１２の係止側３４にある為、落下衝撃により支点ピン３３を中心に矢印Ｄ方向に回転モーメントが働き、板バネ３１に抗してロック解除方向に回動し、結果前蓋１１の突起４３と蓋ロック部材１２のロツク爪３４ａとの係合が外れ、前蓋１１のロックが解除される。前蓋１１のロックが解除されると図１９に示す様に前蓋１１と上蓋８と後蓋９の連結体において、前蓋１１の支点ピン１４の回動支点に対する重心が上蓋８側にある為、支点ピン１４を中心として矢印Ｅ方向に回転モーメントが働きコイルバネ１６に抗して開蓋方向に回動してしまう。又、テープカセット１０の開口部６に沿って架張されていたテープ４は落下の衝撃によりリール５の移動あるいはリール５に巻回されているテープ４のテープ間のズレにより開口部６において弛みが生じ矢印Ｆ方向に飛び出し、弛みが多い場合は前蓋１１の前面部１１ａの内面軌跡（図１９のＧで示す軌跡）より外側にまで飛び出してしまう。その後、コイルバネ１６の抗力によって再び閉蓋方向に回動した前蓋１１によってテープ４を引っ掛けて損傷させたり、挟み込んで欠損させてしまうという問題が発生していた。
【００１３】
本発明は上記課題を解決する為になされ、その目的とする所はテープカセットを誤って落下させた場合においても蓋を閉蓋状態に維持することによりテープを保護する蓋ロック機構を有するテープカセットを提供することにある。
【００１４】
【課題を解決するための手段】
上記課題を解決する本発明に係るテープカセットは、テープを巻回した一対のリールを収納する筐体と、前記一対のリール間に架橋された前記テープを覆う蓋と、前記筐体に対し前記蓋を回動自在に軸支する一対の支点ピンと、前記筐体に備える軸受部に回動自在に支持される支持ピン、及び、前記蓋の前記支点ピン回りの回動を前記支持ピン回りの回動でロックするロック爪部を有する係止部を具備する一対の蓋ロック部材とを備え、前記一対の蓋ロック部材の一方に、前記支持ピンの軸芯に関して、前記係止部の反対位置に前記蓋ロック部材の重心位置を配置したバランスウェイト部を備えた構成である。
上記テープカセットにおけるバランスウェイト部を具備する蓋ロック部材の前記係止部に、前記支持ピンの軸芯方向に深さを有する穴部を設けた構成、
または上記テープカセットにおけるバランスウェイト部に、前記バランスウェイト部を具備する蓋ロック部材の前記係止部を形成する材料の比重より比重の大きい材料含む構成、または上記テープカセットにおけるバランスウェイト部を具備する蓋ロック部材を、当該バランスウェイト部と、前記係止部とを別の材料で構成し、前記バランスウェイト部に供する材料の比重が前記係止部に供する材料の比重よりも大きい構成、
または上記テープカセットにおけるバランスウェイト部を具備する蓋ロック部材の前記係止部に前記支持ピンの軸芯方向に深さを有する穴部を設け、且つ前記バランスウェイト部に前記係止部を形成する材料の比重より比重の大きい材料を含む構成、
または上記テープカセットにおけるバランスウェイト部を具備する蓋ロック部材の前記係止部に前記支持ピンの軸芯方向に深さを有する穴部を設け、且つ前記バランスウェイト部と前記係止部とを別の材料で構成し、前記バランスウェイト部に供する材料の比重が前記係止部に供する材料の比重よりも大きい構成が好ましい。
【００１５】
【発明の実施の形態】
以下、本発明を図面と共に詳細に説明する。
（実施の形態１）
図１は本発明に係るテープカセット１の分解斜視図である。図１０から図１９までに示した従来のテープカセット１０と同一の部材には同一の参照番号を付している。又、テープカセット１の基本的な構造は従来のテープカセット１０と同様である。より詳細に説明すると、図１に示した様に、本発明に係るテープカセット１は、従来のテープカセット１０と同様に、上ハーフ２と下ハーフ３の組み合わせにより一体の筐体に形成される。又、筐体内にはテープ４を巻回した一対のリール５が収納されている。下ハーフ３の前面には開口部６が設けられ、両側には下ハーフ３と一体に形成された一対のテープガイド７が設けられている。テープ４はテープガイド７に案内されて開口部６に沿って架張される。前蓋１１は開口部６に架張されたテープ４の前面を覆う前面部１１ａと上ハーフ２及び下ハーフ３の前方側面を覆う側板１１ｂとで構成されており略コの字型形状をしている。前蓋１１の側板１１ａには一対の支点ピン１４が設けられ、支点ピン１４は上ハーフ２の前方両側壁部に設けられた一対の切欠部１５に挿入され、前蓋１１の支点ピン１４の一方側にはコイルバネ１６が装着されており前蓋１１を常時閉蓋方向に回動付勢している。又、前蓋１１の前面部１１ａの両端上部には一対のピン孔１７が形成されている。
【００１６】
上蓋８は、開口部６に架張されたテープ４の上面を覆う上面部８ａと上ハーフ２の側面を覆う側板８ｂから構成されている。上蓋８の側板８ｂの前方内側には一対の支持ピン１８が設けられ、支持ピン１８は前蓋１１のピン孔１７に挿入されて回動自在とされている。又，側板８ｂの後方内側には一対のガイドピン１９が設けられている。さらに、上面部８ａの内側には開口部６の幅寸法とほぼ同等の間隔距離を有した一対の軸受け部２０が設けられている。上ハーフ２の側壁前方には上蓋側板１９の厚みとほぼ同等寸法に切欠いた一対の切欠部２１が設けられている。切欠部２１は曲線部と直線部とから成り、且つ一方端を開放した一対のガイド溝２２が形成され、ガイド溝２２には上蓋側板８ｂのガイドピン１９が摺動自在に取り付けられている。
【００１７】
後蓋９は略コの字型形状をしており、開口部６に架張されたテープ４の裏面を覆っている。後蓋９の上部側面には一対の支持ピン２３が設けられており、支持ピン２３は上蓋８の軸受け部２０に回動自在に取り付けられている。又後蓋９の下部側面には一対のガイドピン２４を有した突出部２５が設けられている。
【００１８】
下ハーフ３の右側壁３ａにはスリット２６が設けられており、スリット２６内の壁上部には軸受け部２７が形成されている。軸受け部２７には従来カセット１０に使用しているものと同様の第一の蓋ロツク部材１２が取り付けられており、第一の蓋ロック部材１２は板バネ２８でロック方向に付勢されている。下ハーフ３の左側壁３ｂにはスリット２９が設けられており、スリット２９内の壁上部には軸受け部３０が形成されている。軸受け部３０には後述する第二の蓋ロツク部材が取り付けられており、第二の蓋ロック部材４４は板バネ３１でロック方向に付勢されている。
【００１９】
図２は第一及び第二の蓋ロック部材の拡大斜視図である。１２は下ハーフ３の右側壁３ａ側に取り付けられた従来カセット１０に使用しているものと同様の第一の蓋ロック部材であり、軸受け部２７に回動自在に支持される支持ピン部３３と、前蓋１１をロックするロック爪部３４ａおよびカセット本体１を装置（図示せず）に装着した際に装置に設けられた蓋ロツク解除部材３８が当たる当接部３４ｂとを有する係止部３４から構成されており、支持ピン３３の軸芯に対する重心が係止部３４側にある。４４は下ハーフ３の左側壁３ｂ側に取り付けられた第二の蓋ロック部材であり、軸受け部３０に回動自在に支持される支持ピン部４５と、支持ピン部４５の一端に設けられたバランスウェイト部４６と、前蓋１１をロックするロック爪部４７ａおよびカセット本体１を装置（図示せず）に装着した際に装置に設けられた蓋ロツク解除部材３８が当たる当接部４７ｂとを有する係止部４７から構成し、且つ、バランスウェイト部４６と係止部４７を支持ピン４５の軸芯に対し反対位置に配置し、支持ピン４５の軸芯に対する重心位置がバランスウェイト部４６側にある。尚、第二の蓋ロック部材４４も第一の蓋ロック部材１２と同様に合成樹脂にて一体成形されている。
【００２０】
以上の様に構成された本発明のテープカセット１を誤って床などに背面側から落下させた場合を図で持って説明する。図３はテープカセット１を誤って落下した際のテープカセット１の背面部４１が床４２にぶつかった直後の状態を示している。詳細には、図３（ａ）は左側第二の蓋ロック部材４４の動きを、図３（ｂ）は右側第一の蓋ロック部材１２の動きを示している。図３（ａ）に示す様に、テープカセット１の背面部４１が床４２にぶつかった瞬間に第二の蓋ロック部材４４は支持ピン４５の回動支点に対し重心が蓋ロック部材４４の係止側４７にある為、落下衝撃により支持ピン４５を中心に矢印Ｇ方向に回転モーメントが働き、ロック方向に回動し、結果前蓋１１の突起３７と第二の蓋ロック部材４４のロツク爪４７ａとより係合し前蓋１１のロックをしっかりと行う。一方、図３（ｂ）に示す様に蓋ロック部材１２は支持ピン３３の回動支点に対し重心が蓋ロック部材１２の係止側３４にある為、落下衝撃により支持ピン３３を中心に矢印Ｈ方向に回転モーメントが働き、板バネ３１に抗してロック解除方向に回動し、結果前蓋１１の突起３７と蓋ロック部材１２のロツク爪３４ａとの係合が外れ、前蓋１１のロックが解除される。
【００２１】
以上、説明した様に本発明の実施の形態１の構成にすることによりテープカセット１を誤って背面側から落下させた場合、第二の蓋ロック部材４４がしっかりとロックできているので従来のテープカセット１０の様にロックが外れることが回避できる利点がある。尚、図を用いた説明は省略するがテープカセット１を上述した以外の方向例えば前面側（背面側と対向する面）から落下させた場合は、逆に第一の蓋ロック部材１２がしっかりとロックできているので同様にロックが外れることが回避できる。
【００２２】
（実施の形態２）
図４は、本発明に係るテープカセット１の第二の蓋ロック部材の形状を示した斜視図である。図４において、４８は第二の蓋ロック部材であり、支持ピン部４５と、支持ピン部４５の一端に設けられたバランスウェイト部４６と、ロック爪部４７ａおよび当接部４７ｂとを有する係止部４７から構成し、且つ、係止部４７に穴部４９，５０が形成されており、穴部４９，５０の間に剛性を確保する為の補強リブ５１を設けている。
【００２３】
この様に本発明においては、係止部４７に穴部４９，５０を設けることで、支点ピン４５に対して重心をよりバランスウェイト部４６側に持ってくることができる利点がある。尚、穴の数については特に２個に限定するものではない。
【００２４】
（実施の形態３）
図５は、本発明に係るテープカセット１の第二の蓋ロック部材の形状を示した斜視図である。図５において、５２は第二の蓋ロック部材であり、支持ピン部５３と、支持ピン部５３の一端に設けられたバランスウェイト部５４と、ロック爪部５５ａおよび当接部５５ｂとを有する係止部５５から構成し、且つ、バランスウェイト部５４には本体部より比重の大きい材料５１（例えば金属等）が圧入或いはインサート成形等で埋め込まれて設けられている。尚、材料５１の埋め込み位置はできる限りバランスウェイト部５４の外周側が好ましい。
【００２５】
この様に本発明においてはバランスウェイト部５４の重量をさらに増すことができる為、実施の形態２と同様の効果を得ることができる。
【００２６】
（実施の形態４）
図６は、本発明に係るテープカセット１の第二の蓋ロック部材の形状を示した斜視図である。図６において、５７は第二の蓋ロック部材であり、支持ピン部５８と、支持ピン部５８の一端に設けられたバランスウェイト部５９と、ロック爪部６０ａおよび当接部６０ｂとを有する係止部６０から構成し、且つ、バランスウェイト部５９の外周部に本体部より比重の大きい材料６１（例えば金属等）を巻き付けて設けられている。
【００２７】
この様に本発明においてはバランスウェイト部５４の重量をさらに増すことができる為、実施の形態２あるいは実施の形態３と同様の効果を得ることができる。
【００２８】
（実施の形態５）
図７は、本発明に係るテープカセット１の第二の蓋ロック部材の形状を示した斜視図である。図７において、６２は第二の蓋ロック部材であり、支持ピン部６３と、支持ピン部６３の一端に設けられたバランスウェイト部６４と、ロック爪部６５ａおよび当接部６５ｂとを有する係止部６５から構成し、且つ、バランスウェイト部６４には本体部より比重の大きい材料６６（例えば金属等）が圧入或いはインサート成形等で埋め込まれて設けられている。さらに、係止部６５に穴部６７，６８が形成されており、穴部６６，６７の間に剛性を確保する為の補強リブ６９を設けている。
【００２９】
この様に本発明においては、係止部６５に穴部６７，６８を設けることでの係止部６５の軽量化と、バランスウェイト部６４の重量をさらに増すことができる為、支点ピン６３に対して重心をよりバランスウェイト部６４側に持ってくることができる利点がある。尚、材料６６の埋め込み位置はできる限りバランスウェイト部６４の外周側が好ましい。又、穴の数については特に２個に限定するものではない。
【００３０】
（実施の形態６）
図８は、本発明に係るテープカセット１の第二の蓋ロック部材の形状を示した斜視図である。図８において、７０は第二の蓋ロック部材であり、支持ピン部７１と、支持ピン部７１の一端に設けられたバランスウェイト部７２と、ロック爪部７３ａおよび当接部７３ｂとを有する係止部７３から構成し、且つ、バランスウェイト部７２の外周部に本体部より比重の大きい材料７４（例えば金属等）を巻き付けて設けられている。さらに、係止部７０に穴部７５，７６が形成されており、穴部７５，７６の間に剛性を確保する為の補強リブ７７を設けている。
【００３１】
この様に本発明においては、係止部７３に穴部７５，７６を設けることでの係止部７３の軽量化と、バランスウェイト部７２の重量をさらに増すことができる為、支点ピン７１に対して重心をよりバランスウェイト部７２側に持ってくることができる利点がある。尚、穴の数については特に２個に限定するものではない。
【００３２】
（実施の形態７）
図９は、本発明に係るテープカセット１の第二の蓋ロック部材の形状を示した斜視図である。図９において、７８は第二の蓋ロック部材であり、支持ピン部７９と、支持ピン部７９の一端に設けられたバランスウェイト部８０と、ロック爪部８１ａおよび当接部８１ｂとを有する係止部８１から構成し、且つ、バランスウェイト部８０は全体を本体部より比重の大きい材料（例えば金属等）とし支持ピン部７９に圧入固定して設けられている。
【００３３】
この様に本発明においては、バランスウェイト部８０の重量をさらに増すことができる為、支点ピン７９に対して重心をよりバランスウェイト部８０側に持ってくることができる利点がある。
【００３４】
尚、上記説明は左側の蓋ロック部材に用いた場合の説明をしたが、右側蓋ロック部材に同様の構成を採用しても同じ効果を奏することはいうまでもない。
【００３５】
【発明の効果】
以上の様に本発明においては、蓋ロック部材の支点ピン軸芯に対する重心を一方側の蓋ロック部材はロック爪部および当接部とを有する係止部側にし、他方側のロック部材はロック爪部および当接部とを有する係止部側と反対側にある様に構成したことにより、誤ってカセットを落下させた場合も、片方の蓋ロックが確実にされる為、蓋が開放されることがなく、テープの損傷或いは欠損等の問題を防ぐことができる。
【００３６】
このように、本発明により折角録画したテープを誤って落下させ、開いた蓋によりテープが挟まれ、テープダメージやテープ切れをおこすことのないテープカセットを提供することができる。
【図面の簡単な説明】
【図１】本発明に係るテープカセット１の分解斜視図
【図２】本発明の実施の形態１における蓋ロック部材の拡大斜視図
【図３】本発明係るテープカセット１の落下直後の状態図
【図４】本発明の実施の形態２における蓋ロック部材の斜視図
【図５】本発明の実施の形態３における蓋ロック部材の斜視図
【図６】本発明の実施の形態４における蓋ロック部材の斜視図
【図７】本発明の実施の形態５における蓋ロック部材の斜視図
【図８】本発明の実施の形態６における蓋ロック部材の斜視図
【図９】本発明の実施の形態７における蓋ロック部材の斜視図
【図１０】従来のテープカセット１０の蓋部開放状態図
【図１１】従来のテープカセット１０の分解斜視図
【図１２】従来の蓋ロック部材の拡大斜視図
【図１３】従来の蓋部及び蓋ロツク部の要部側面図
【図１４】従来のテープカセット１０をカセットホルダーに挿入し、蓋ロック解除部材が蓋ロック部材に当接した状態を示す図
【図１５】従来のテープカセット１０を蓋ロック解除部材が蓋ロック部材を開け終わった状態図
【図１６】従来のテープカセット１０の蓋全開放状態を示す図
【図１７】従来のテープカセット１０の落下直前を示す図
【図１８】従来のテープカセット１０が落下した直後を示す図
【図１９】従来のテープカセット１０の蓋が落下衝撃で開放した状態を示す図
【符号の説明】
１    （本発明の）テープカセット
２    上ハーフ
３    下ハーフ
４    テープ
５    リール
６    開口部
７    テープガイド
８    上蓋
９    後蓋
１０  前蓋
１２  第一の蓋ロック部材
１３，４４，４８，５２，５７，６２，７０，７８第二の蓋ロック部材
１６  （前蓋の）コイルバネ
２６、２９  スリット
２７、３０  軸受け部
３１  （第二の蓋ロック部材押圧用）板バネ
３２  （第一の蓋ロック部材押圧用）板バネ
３３  （第一の蓋ロック部材の）支点ピン部
３４  （第一の蓋ロック部材の）係止部
３４ａ  （第一の蓋ロック部材の）ロック爪部
３４ｂ  （第一の蓋ロック部材の）当接部
３５  （従来の第二の蓋ロック部材の）支点ピン部
３６  （従来の第二の蓋ロック部材の）係止部
３６ａ  （従来の第二の蓋ロック部材の）ロック爪部
３６ｂ  （従来の第二の蓋ロック部材の）当接部
３７、４３  （前蓋の）突起
３８  蓋ロック解除部材
３９  切欠部
４０  開蓋ピン
４１  背面部
４２  床面
４５  （本発明の第二の蓋ロック部材の）支点ピン部
４６  バランスウェイト部
４７  （本発明の第二の蓋ロック部材の）係止部
４７ａ  （本発明の第二の蓋ロック部材の）ロック爪部
４７ｂ  （本発明の第二の蓋ロック部材の）当接部
４９，５０  （本発明の第二の蓋ロック部材の）穴部
５１  比重の大きい材料
【図１】
0004284801.tif 000002
【図２】
0004284801.tif 000003
【図３】
0004284801.tif 000004
【図４】
0004284801.tif 000005
【図５】
0004284801.tif 000006
【図６】
0004284801.tif 000007
【図７】
0004284801.tif 000008
【図８】
0004284801.tif 000009
【図９】
0004284801.tif 000010
【図１０】
0004284801.tif 000011
【図１１】
0004284801.tif 000012
【図１２】
0004284801.tif 000013
【図１３】
0004284801.tif 000014
【図１４】
0004284801.tif 000015
【図１５】
0004284801.tif 000016
【図１６】
0004284801.tif 000017
【図１７】
0004284801.tif 000018
【図１８】
0004284801.tif 000019
【図１９】
0004284801.tif 000020